(57)【要約】【課題】耐候性試験の際の利便性を向上させることが可能な耐候性試験機および耐候性試験方法を提供する。【解決手段】耐候性試験機１は、試験槽１０と、この試験槽１０内に配置され、互いに対向する第１面（表面Ｓｆ）および第２面（裏面Ｓｂ）を有する試料９における第１面を外部に露出させた状態にて試料９を保持する、１または複数の試料保持ボックス１４と、試料９についての耐候性試験を行う際の動作制御を行う制御部１８とを備えている。この制御部１８は、試料保持ボックス１４内の温度（温度Ｔin）を上昇させた状態にて耐候性試験を行う高温試験モードと、試料９における第１面および第２面のうちの一方の面上にのみ結露を発生させた状態にて耐候性試験を行う結露試験モードと、の双方の試験モードが個別に実行されるように、動作制御を行う。【選択図】図３
2018128338.tif 000002
【特許請求の範囲】
【請求項１】
試験槽と、
前記試験槽内に配置され、互いに対向する第１面および第２面を有する試料における前記第１面を外部に露出させた状態にて前記試料を保持する、１または複数の試料保持ボックスと、
前記試料についての耐候性試験を行う際の動作制御を行う制御部と
を備え、
前記制御部は、
前記試料保持ボックス内の温度を上昇させた状態にて前記耐候性試験を行う高温試験モードと、
前記試料における前記第１面および前記第２面のうちの一方の面上にのみ結露を発生させた状態にて前記耐候性試験を行う結露試験モードと、
の双方の試験モードが個別に実行されるように、前記動作制御を行う
耐候性試験機。
【請求項２】
前記試験槽内において放射光を放射する光源を更に備え、
前記高温試験モードの際には、
黒色筺体を有する前記試料保持ボックスが用いられると共に、
前記黒色筺体と、前記光源から放射されて前記試料を透過した前記放射光とを利用して、前記試料保持ボックス内の温度が上昇する
請求項１に記載の耐候性試験機。
【請求項３】
前記試料保持ボックス内における前記試料の保持面とは反対側に、
黒色部材および断熱部材がそれぞれ配置されている
請求項２に記載の耐候性試験機。
【請求項４】
貫通空気量調節弁が前記黒色筺体に設けられており、
前記高温試験モードの際に、前記貫通空気量調節弁における開閉量が調節されることによって、前記試料保持ボックス内の温度が調節される
請求項２または請求項３に記載の耐候性試験機。
【請求項５】
前記結露試験モードの際には、
蓄熱部材を内蔵した白色筺体を有する前記試料保持ボックスが用いられる
請求項１ないし請求項４のいずれか１項に記載の耐候性試験機。
【請求項６】
前記結露試験モードとして、
前記試料における前記第１面上にのみ結露を発生させた状態にて前記耐候性試験を行う第１の結露試験モードと、
前記試料における前記第２面上にのみ結露を発生させた状態にて前記耐候性試験を行う第２の結露試験モードと
が設けられている
請求項１ないし請求項５のいずれか１項に記載の耐候性試験機。
【請求項７】
前記試料保持ボックスにおける前記試料の保持面とは反対側の面に対して液体を噴射する液体噴射機構を更に備え、
前記制御部は、前記第１の結露試験モードの際には、
前記試験槽内の湿度を上昇させると共に、前記液体噴射機構による前記液体の噴射を利用して前記試料保持ボックス内の温度を下降させることによって、前記試料における前記第１面上にのみ結露を発生させる
請求項６に記載の耐候性試験機。
【請求項８】
前記制御部は、前記第２の結露試験モードの際には、
前記試験槽内の温度を前記試料保持ボックス内の温度よりも下降させることによって、前記試料における前記第２面上にのみ結露を発生させる
請求項６または請求項７に記載の耐候性試験機。
【請求項９】
前記制御部は、前記結露試験モードの際に、前記一方の面上にのみ発生する結露の状態を、結露センサを用いて制御する
請求項１ないし請求項８のいずれか１項に記載の耐候性試験機。
【請求項１０】
前記試料が、ガラス材料を用いて構成されている
請求項１ないし請求項９のいずれか１項に記載の耐候性試験機。
【請求項１１】
互いに対向する第１面および第２面を有する試料における前記第１面を外部に露出させた状態にて前記試料を保持する１または複数の試料保持ボックスを試験槽内に配置して、前記試料についての耐候性試験を行う際に、
前記試料保持ボックス内の温度を上昇させた状態にて前記耐候性試験を行う高温試験モードと、
前記試料における前記第１面および前記第２面のうちの一方の面上にのみ結露を発生させた状態にて前記耐候性試験を行う結露試験モードと、
の双方の試験モードが個別に実行されるように、動作制御を行う
耐候性試験方法。
【発明の詳細な説明】
【技術分野】
【０００１】
本発明は、耐候性試験を行う耐候性試験機、および、耐候性試験方法に関する。
【背景技術】
【０００２】
耐候性試験機は、温湿度条件や水噴霧に加え、太陽に代わる光源（人工光源）からの放射光を各種試料に照射することにより、促進的環境条件（加速試験環境）を人工的に再現し、その試料（材料）の劣化度合い等を評価する（耐候性試験を行う）ための装置である（例えば、特許文献１参照）。
【０００３】
このような耐候性試験機では一般に、温度および湿度等の調節や水噴霧が可能な試験槽の中に、光源として、例えば、キセノンアークランプ、サンシャインカーボンアークランプ、紫外線カーボンアークランプ、メタルハライドランプまたは紫外線蛍光ランプ等が配置されている。また、この光源を中心とする円環状の試料取付枠が設けられ、この試料取付枠に各試料が取り付けられている。そして、上記の促進的環境条件の下、数時間から数千時間程度の試験が行われるようになっている。
【先行技術文献】
【特許文献】
【０００４】
【特許文献１】特許第2942444号公報
【発明の概要】
【発明が解決しようとする課題】
【０００５】
ところで、このような耐候性試験の際には一般に、利便性を向上させることが求められている。
【０００６】
したがって、耐候性試験を行う際の利便性を向上させることが可能な耐候性試験機および耐候性試験方法を提供することが望ましい。
【課題を解決するための手段】
【０００７】
本発明の一実施の形態に係る耐候性試験機は、試験槽と、この試験槽内に配置され、互いに対向する第１面および第２面を有する試料における第１面を外部に露出させた状態にて試料を保持する、１または複数の試料保持ボックスと、試料についての耐候性試験を行う際の動作制御を行う制御部とを備えたものである。この制御部は、試料保持ボックス内の温度を上昇させた状態にて耐候性試験を行う高温試験モードと、試料における第１面および第２面のうちの一方の面上にのみ結露を発生させた状態にて耐候性試験を行う結露試験モードと、の双方の試験モードが個別に実行されるように、動作制御を行う。
【０００８】
本発明の一実施の形態に係る耐候性試験方法は、互いに対向する第１面および第２面を有する試料における第１面を外部に露出させた状態にて試料を保持する１または複数の試料保持ボックスを試験槽内に配置して、試料についての耐候性試験を行う際に、試料保持ボックス内の温度を上昇させた状態にて耐候性試験を行う高温試験モードと、試料における第１面および第２面のうちの一方の面上にのみ結露を発生させた状態にて耐候性試験を行う結露試験モードと、の双方の試験モードが個別に実行されるように動作制御を行うものである。
【０００９】
本発明の一実施の形態に係る耐候性試験機および耐候性試験方法では、上記高温試験モードおよび上記結露試験モードの双方の試験モードが個別に実行されるように、耐候性試験の際の動作制御が行われる。これにより、多様な試験条件下での耐候性試験が実現される。
【００１０】
ここで、試験槽内において放射光を放射する光源を更に設けるようにし、上記高温試験モードの際には、黒色筺体を有する試料保持ボックスを用いると共に、この黒色筺体と、光源から放射されて試料を透過した放射光とを利用して、試料保持ボックス内の温度が上昇するようにしてもよい。このようにした場合、黒色筺体および放射光を用いて試料保持ボックス内の温度が上昇し易くなる（効率良く高温状態に設定できる）ことから、高温試験モードを実行する際の利便性が向上する。
【００１１】
この場合において、試料保持ボックス内における試料の保持面とは反対側に、黒色部材および断熱部材をそれぞれ配置するようにしてもよい。このようにした場合、黒色部材を用いて、試料保持ボックス内の温度が更に上昇し易くなる（更に効率良く高温状態に設定できる）。また、断熱部材を用いることで、試料保持ボックスからの放熱が抑えられ、高温状態が維持し易くなる。これらの結果、高温試験モードを実行する際の利便性が、更に向上する。
【００１２】
また、貫通空気量調節弁を黒色筺体に設けると共に、上記高温試験モードの際に、貫通空気量調節弁における開閉量が調節されることによって、試料保持ボックス内の温度が調節されるようにしてもよい。このようにした場合、例えば試験槽内に複数の試料保持ボックスが設けられている場合に、各試料保持ボックス内の温度を個別に設定できるようになる。その結果、高温試験モードを実行する際の利便性が、更に向上する。
【００１３】
ここで、上記結露試験モードの際には、蓄熱部材を内蔵した白色筺体を有する試料保持ボックスを用いるようにしてもよい。このようにした場合、白色筺体であると共に蓄熱部材を内蔵することから、例えば外光（例えば光源からの放射光など）が試料保持ボックスに照射された場合であっても、白色筺体であるため、試料保持ボックス内の温度が上昇しにくくなる（低温状態を維持し易くなる）。また、蓄熱部材を内蔵しているため、試験槽内の温度が変化した場合でも、試料保持ボックス内の温度が低温状態または高温状態を維持し易くなる。更に、試料保持ボックスに冷却装置および加熱装置等を設置しなくても済むため、試料保持ボックスの構造が簡易なものとなり、低コスト化が図られる。
【００１４】
また、上記結露試験モードとして、試料における第１面上にのみ結露を発生させた状態にて耐候性試験を行う第１の結露試験モードと、試料における第２面上にのみ結露を発生させた状態にて耐候性試験を行う第２の結露試験モードとを設けるようにしてもよい。このようにした場合、試料の第１面上にのみ結露を発生させる結露試験と、試料の第２面上にのみ結露を発生させる結露試験との双方がそれぞれ、個別に実現できるようになる。
【００１５】
この場合において、試料保持ボックスにおける試料の保持面とは反対側の面に対して液体を噴射する液体噴射機構を更に設けると共に、制御部が上記第１の結露試験モードの際に、試験槽内の湿度を上昇させると共に、液体噴射機構による液体の噴射を利用して試料保持ボックス内の温度を下降させることによって、試料における第１面上にのみ結露を発生させるようにしてもよい。
【００１６】
また、制御部が上記第２の結露試験モードの際に、試験槽内の温度を試料保持ボックス内の温度よりも下降させることによって、試料における第２面上にのみ結露を発生させるようにしてもよい。
【００１７】
ここで、制御部が上記結露試験モードの際に、上記一方の面上にのみ発生する結露の状態を、結露センサを用いて制御するようにしてもよい。このようにした場合、結露の状態が精度良く調整できるため、結露試験モードの際の再現性が向上する。
【００１８】
なお、上記試料としては、例えば、ガラス材料を用いたもの（自動車用ガラスなど）等が挙げられる。
【発明の効果】
【００１９】
本発明の一実施の形態に係る耐候性試験機および耐候性試験方法によれば、上記高温試験モードおよび上記結露試験モードの双方の試験モードが個別に実行されるように耐候性試験の際の動作制御を行うようにしたので、多様な試験条件下での耐候性試験を実現することができる。よって、耐候性試験を行う際の利便性を向上させることが可能となる。
【図面の簡単な説明】
【００２０】
【図１】本発明の一実施の形態に係る耐候性試験機の概略構成例を表す模式図である。
【図２】図１に示したＩＩ−ＩＩ線に沿った矢視断面構成例を表す模式図である。
【図３】耐候性試験における試験モードの一例を表す模式図である。
【図４】高温試験モードの際の試料保持ボックスでの動作例を表す模式断面図である。
【図５】結露試験モード１（表面結露）の際の試料保持ボックスでの動作例を表す模式断面図である。
【図６】結露試験モード２（裏面結露）の際の試料保持ボックスでの動作例を表す模式断面図である。
【発明を実施するための形態】
【００２１】
以下、本発明の実施の形態について、図面を参照して詳細に説明する。なお、説明は以下の順序で行う。
１．実施の形態（ガラス材料の試料に対する高温試験モード・結露試験モードの適用例）
２．変形例
【００２２】
＜１．実施の形態＞
［概略構成］
図１は、本発明の一実施の形態に係る耐候性試験機（耐候性試験機１）の概略構成例を模式的に表したものである。また、図２は、この図１中のＩＩ−ＩＩ線に沿った矢視断面構成（Ｘ−Ｙ断面構成）例を模式的に表したものである。なお、本発明の一実施の形態に係る耐候性試験方法は、本実施の形態の耐候性試験機１において具現化されるため、以下、併せて説明する。
【００２３】
耐候性試験機１は、試験槽１０内に配置された各種の材料からなる試料（試験片）９について、促進的環境条件下での耐候性試験を行うものである。この耐候性試験機１は、図１および図２に示したように、温度および湿度等の調節が可能な試験槽１０内に、光源１１、一対の試料取付枠１２ａ，１２ｂ、試料ホルダ１３、試料９を保持する試料保持ボックス１４、液体噴射機構１５、受光器１６およびブラックパネル温度計１７を備えている。耐候性試験機１はまた、図１に示したように、回転軸１２０および制御部１８を備えている。
【００２４】
試料９は、互いに対向する第１面（表面）および第２面（裏面）を有する板状のものである。なお、試料９の材料としては、上記したように各種の材料が挙げられるが、一例として、ガラス、透明プラスチック等が挙げられる。また、このガラス材料の場合の試料９の用途としては、車両（自動車など）用が挙げられる。すなわち、試料９の一例としては、自動車用ガラスなどが挙げられる。
【００２５】
光源１１は、試験槽１０内の中央付近に、Ｚ軸方向に沿って延在するように配置されている。光源１１は、試験槽１０内において周囲に（Ｘ−Ｙ面内方向に沿って）放射光Ｌoutを放射するものである。この光源１１は、例えば、キセノンアークランプ、サンシャインカーボンアークランプ、紫外線カーボンアークランプ、メタルハライドランプまたは紫外線蛍光ランプ等のランプ光源により構成されている。
【００２６】
試料取付枠１２ａ，１２ｂはそれぞれ、光源１１が中心位置となるようにＸ−Ｙ平面内に配置された円環状の枠である。これらの試料取付枠１２ａ，１２ｂはそれぞれ、図１に示したように、回転軸１２０が回転方向Ｒ１に沿って回転することで、この回転方向Ｒ１と同じ向きの回転方向Ｒ２に沿って、光源１１を中心（回転中心）とした一定速度での回転動作を行うようになっている。これにより図２に示したように、後述する各試料ホルダ１３、各試料保持ボックス１４、受光器１６およびブラックパネル温度計１７もまた、光源１１を中心として回転方向Ｒ２に沿った回転動作が行われるようになっている。
【００２７】
試料ホルダ１３は、図１に示したように、試料取付枠１２ａ，１２ｂの間を繋ぐようにして取り付けられており、これらの試料取付枠１２ａ，１２ｂに対して着脱可能となっている。各試料ホルダ１３は、光源１１に対向する試料取付面を有している。この試料取付面上には、図２に示したように、後述する試料保持ボックス１４、受光器１６またはブラックパネル温度計１７が配置されている。このような複数の試料ホルダ１３全体では、例えば図２に示したように、Ｘ−Ｙ平面上において、それらの個数に応じた多角形状をなしている。換言すると、これら複数の試料ホルダ１３は、上記した試料取付枠１２ａ，１２ｂ上で多角形を構成するように並んで配置されている。
【００２８】
（試料保持ボックス１４）
試料保持ボックス１４は、前述したように、試験槽１０内において試料９を保持するためのボックス（耐候性試験機用試料保持ボックス）である。この試料保持ボックス１４は、図２に示したように、この例では試験槽１０内に複数配置されている。このような試料保持ボックス１４は、詳細は後述するが、試料９の表面を外部（試験槽１０内）に露出させた状態で試料９を保持するようになっており、箱型の形状を有している。なお、この試料保持ボックス１４における詳細構成例および動作例については、後述する（図４〜図６）。
【００２９】
液体噴射機構１５は、図１に示したように、試料保持ボックス１４における試料９の保持面（正面）とは反対側の面（背面）に対して、所定の液体Ｗを噴射する機構（スプレノズル）である。液体噴射機構１５は、この例では試験槽１０内において、試料保持ボックス１４の背面側に配置されている。なお、この液体Ｗとしては、例えば、水温１０℃程度の水（Ｈ2Ｏ）などが挙げられる。
【００３０】
受光器１６は、光源１１から放射された放射光Ｌoutの放射照度を測定するためのもの（照度計）であり、試料取付枠１２ａ，１２ｂ上に取り付けられている。具体的には、例えば図２に示したように、この受光器１６は、試料取付枠１２ａ，１２ｂ上において、試料保持ボックス１４が取り付けられていない（配置されていない）試料ホルダ１３上に配置されている。なお、この受光器１６により得られた受光データ（受光値）は、後述する制御部１８へ伝送されるようになっている。
【００３１】
ブラックパネル温度計１７は、図２に示したように、試料ホルダ１３（試料取付面）上に取り付けられており、試料取付面の表面温度を代表する温度情報を測定するための温度計である。この温度情報としては、放射光Ｌoutの光エネルギーが温度化された成分と、試験槽１０内の環境温度成分と、試料表面を流れる風による熱伝達成分などを含んでいる。このようなブラックパネル温度計１７は、例えば、バイメタル、白金抵抗体、サーミスタまたは熱電対等の感熱体と、黒色に塗装された板とを含んで構成されている。
【００３２】
制御部１８は、耐候性試験機１全体の動作を制御する部分である。制御部１８は、このような制御動作の１つとして、例えば、受光器１６により得られた受光データに基づいて光源１１の放射強度を制御することにより、試料９への放射照度を制御する機能を有している。また、制御部１８は、温度制御の基準をブラックパネル温度計１７に選択した場合に、このブラックパネル温度計１７により得られた温度情報に基づいて、図示しないヒータおよび冷凍機等の動作をそれぞれ制御することにより、試験槽１０内の温度制御を行う機能（温度制御機能）を有している。もしくは、制御部１８は、温度制御の基準を試験槽１０内の温度計に選択した場合に、この試験槽１０内の温度計により得られた温度情報に基づいて、同様に試験槽１０内の温度制御を行う機能（温度制御機能）を有している。更に、制御部１８は、乾球温度と湿球温度との関係から算出された相対湿度に基づいて、試験槽１０内の湿度制御を行う機能（湿度制御機能）を有している。このように制御部１８は、互いに影響し合う３つの要素（放射照度、ブラックパネル温度（もしくは乾球温度）、および相対湿度）に対して、同時に制御を行うようになっている。加えて、制御部１８は、温度制御の基準をブラックパネル温度計１７および試験槽１０内の温度計の２つの基準に基づいて温度制御を行うことも可能である。この場合、制御部１８は、ブラックパネル温度計１７および試験槽１０内の温度計より得られた各々の温度情報に基づいて、試験槽１０内を循環する風量の制御も加えることで、ブラックパネル温度計１７および試験槽１０内の温度計の両方の温度制御を行うようになっている。
【００３３】
ここで、本実施の形態では特に、制御部１８は、試料９についての耐候性試験を行う際に、例えば以下の動作制御を行う。すなわち、制御部１８は、後述する各種の試験モード（例えば高温試験モードおよび結露試験モード）が個別に実行されるように、動作制御を行う。なお、このような、制御部１８における耐候性試験の際の動作制御の詳細については、後述する。
【００３４】
［動作および作用・効果］
（Ａ．基本動作）
この耐候性試験機１では、試験槽１０内において、必要に応じて光源１１から放射光Ｌoutが放射される。また、この際に、複数の試料保持ボックス１４、受光器１６およびブラックパネル温度計１７が取り付けられた試料取付枠１２ａ，１２ｂがそれぞれ、この光源１１を中心とした回転動作を行う。これにより、促進的環境条件（加速試験環境）の下で、各試料保持ボックス１４内の試料９に対して、放射光Ｌoutが照射される。このような放射光Ｌoutの放射が所定の試験時間（例えば数時間〜数千時間程度）行われることで、各試料９（材料）の劣化度合い等が評価され、耐候性試験がなされる。更に、上記した光源１１の放射による照射試験の他に、光源１１の放射を行わずに、試験槽１０内の温度および相対湿度を制御して行う暗黒試験もあり、照射試験および暗黒試験を繰り返すことで、耐候性試験が行われる。
【００３５】
また、本実施の形態の耐候性試験機１では特に、耐候性試験の際に、上記した基本動作に加え、後述する各種の試験モード（後述する図３参照）が個別に実行される。
【００３６】
このような耐候性試験の際に、制御部１８は、受光器１６により得られた受光データに基づいて、光源１１の放射強度を制御することにより、試料９への放射照度を制御する。これにより、受光データの値が予め設定された試験条件値と略一致（望ましくは一致）するように光源１１の放電電力が制御され、安定した放射動作が担保されることになる。
【００３７】
この制御部１８はまた、図示しないヒータおよび冷凍機等の動作をそれぞれ制御することにより、試験槽１０内の温度やブラックパネル温度計１７の温度制御を行う。なお、このような温度制御は、例えばＰＩＤ（Proportional-Integral-Derivative）制御を用いて行われる。
【００３８】
更に、制御部１８は、乾球温度と湿球温度との関係から算出された相対湿度に基づいて、図示しない湿度発生機を制御することにより、試験槽１０内の相対湿度を制御する。これにより、試験槽１０内の相対湿度が予め設定された試験条件値と略一致（望ましくは一致）するように湿度発生機が制御され、設定相対湿度が維持される。
【００３９】
（Ｂ．各試験モードの際の動作）
次に、図１，図２に加えて図３〜図６を参照して、耐候性試験機１における、上記した各種の試験モードの際の動作について、詳細に説明する。
【００４０】
図３は、耐候性試験における試験モードの一例を、模式的に表したものである。この図３に示したように、本実施の形態の耐候性試験の例では、大きく分けて、高温試験モードおよび結露試験モードの２種類の試験モードが設けられている。また、このうちの結露試験モードとしては、この例では、結露試験モード１（表面結露）と、結露試験モード２（裏面結露）との２種類の試験モードが設けられている。すなわち、この耐候性試験の例では、合わせて、高温試験モード、結露試験モード１および結露試験モード２の３種類の試験モードが設けられていることになる。
【００４１】
なお、結露試験モード１は、本発明における「第１の結露試験モード」の一具体例に対応する。また、結露試験モード２は、本発明における「第２の結露試験モード」の一具体例に対応する。
【００４２】
ここで、上記した「高温試験モード」は、図３に示したように、試料保持ボックス１４内の温度を上昇させた状態（高温状態）にて行われる耐候性試験である。また、例えば試料９が前述した自動車用ガラスの場合には、この高温試験モードにおいて想定される環境条件としては、例えば、昼間における高温状態の車内環境が挙げられる。そして、この高温試験モードの際には、詳細は後述するが、試料保持ボックス１４として、黒色のものが使用されるようになっている。
【００４３】
一方、上記した「結露試験モード」は、試料９における表面および裏面のうちの一方の面上にのみ結露を発生させた状態にて行われる耐候性試験である。
【００４４】
具体的には、上記した「結露試験モード１」は、図３に示したように、試料９における表面（試料保持ボックス１４における外面側）上にのみ結露を発生させた状態（表面結露状態）にて行われる耐候性試験である。また、例えば試料９が前述した自動車用ガラスの場合には、この結露試験モード１において想定される環境条件としては、例えば、明け方における車外での結露発生環境が挙げられる。そして、この結露試験モード１の際には、詳細は後述するが、試料保持ボックス１４として、白色のものが使用されるようになっている。
【００４５】
また、上記した「結露試験モード２」は、図３に示したように、試料９における裏面（試料保持ボックス１４における内面側）上にのみ結露を発生させた状態（裏面結露状態）にて行われる耐候性試験である。また、例えば試料９が前述した自動車用ガラスの場合には、この結露試験モード２において想定される環境条件としては、例えば、人間が自動車に乗車し、車内の温度および湿度が上昇し、冬場等の走行によって、外気により窓ガラスが冷却される環境が挙げられる。具体的には、例えば車内の温度が２０℃、相対湿度が７０％ＲＨのとき、露点温度は約１４℃であり、冬場の外気が１０℃とすると、走行時の窓ガラスの温度は露点温度よりも低くなり、結露が発生することになる。そして、この結露試験モード２の際にも、詳細は後述するが、試料保持ボックス１４として、白色のものが使用されるようになっている。
【００４６】
このようにして本実施の形態では、試料９の表面上にのみ結露を発生させる結露試験（結露試験モード１）と、試料９の裏面上にのみ結露を発生させる結露試験（結露試験モード２）との双方がそれぞれ、個別に実現できるようになっている。
【００４７】
ここで、本実施の形態の制御部１８は、試料９についての耐候性試験を行う際に、これらの高温試験モードおよび結露試験モード（結露試験モード１または結露試験モード２）が個別に実行されるように、動作制御を行う。以下では、各試験モードの際の制御部１８による動作制御について、詳細に説明する。
【００４８】
＜高温試験モード＞
まず、図３に加えて図４を参照して、「高温試験モード」の際の動作制御について説明する。図４は、この高温試験モードの際の試料保持ボックス１４での動作例を、模式断面図にて表したものである。
【００４９】
この高温試験モードの際には、図４に示したように、試料保持ボックス１４として、黒色筺体１４０Ｂを有するもの（黒色ボックス１４Ｂ）が用いられている。また、この試料保持ボックス１４（黒色ボックス１４Ｂ）では、試料９における表面Ｓｆおよび裏面Ｓｂのうち、試料９の表面Ｓｆが外部（試験槽１０内の光源１１側）に露出した状態で、試料９が保持されている。具体的には、図４に示したように、試料９における上端領域および下端領域がそれぞれ、保持部材１４１ａ，１４１ｂによって保持（固定）されている。なお、試料９における表面Ｓｆおよび裏面Ｓｂはそれぞれ、本発明における「第１面」および「第２面」の一具体例に対応している。
【００５０】
この高温試験モードの際にはまた、図４に示したように、試料保持ボックス１４内に、この試料保持ボックス１４内の温度を検知するための温度センサ１４２が配置されている。また、試料保持ボックス１４内における試料９の保持面（光源１１側に位置する正面）とは反対側（背面側）に、加温用黒板１４３および断熱シート板１４４がそれぞれ配置されている。そして、上記した黒色筺体１４０Ｂにおける上側の側面および下側の側面にはそれぞれ、試料保持ボックス１４内を貫通する空気（貫通空気Ａin，Ａout）の量を調節するための貫通空気量調節弁１４５ａ，１４５ｂが設けられている。なお、加温用黒板１４３は、本発明における「黒色部材」の一具体例に対応し、断熱シート板１４４は、本発明における「断熱部材」の一具体例に対応している。
【００５１】
この高温試験モードでは、上記した黒色ボックス１４Ｂにおける黒色筺体１４０Ｂと、光源１１から放射されて試料９を透過した放射光Ｌout（図４参照）とを利用して、試料保持ボックス１４内の温度が上昇するようになっている。換言すると、これらの黒色筺体１４０Ｂおよび放射光Ｌoutを利用して、試料保持ボックス１４内が高温状態に設定されるようになっている。また、この高温試験モードの際に、黒色筺体１４０Ｂに設けられた貫通空気量調節弁１４５ａ，１４５ｂにおける開閉量（図４中の矢印Ｐ１ａ，Ｐ１ｂ参照）が（人手によって適宜）調節されることによって、試料保持ボックス１４内の温度が調節される（調節可能となっている）。この際に、例えば温度センサ１４２によって検知された温度に基づいて、貫通空気量調節弁１４５ａ，１４５ｂにおける開閉量の調節が行われる。
【００５２】
＜結露試験モード＞
次に、図３に加えて図５および図６を参照して、「結露試験モード」（結露試験モード１および結露試験モード２）の際の動作制御について説明する。
【００５３】
（結露試験モード１：表面結露）
最初に、図５は、結露試験モード１（表面結露）の際の試料保持ボックス１４での動作例を、模式断面図にて表したものである。
【００５４】
この結露試験モード１の際には、図５に示したように、試料保持ボックス１４として、白色筺体１４０Ｗを有するもの（白色ボックス１４Ｗ）が用いられている。また、この試料保持ボックス１４（白色ボックス１４Ｗ）においても、上記した黒色ボックス１４Ｂの場合と同様に、試料９の表面Ｓｆが外部（試験槽１０内の光源１１側）に露出した状態で、試料９が保持されている。具体的には、図４に示したように、試料９における上端領域および下端領域がそれぞれ、保持部材１４１ａ，１４１ｂによって保持（固定）されている。また、このような試料９における表面Ｓｆ上および裏面Ｓｂ上にはそれぞれ、後述する結露の状態を検知するための結露センサ１４６が配置されている。
【００５５】
この結露試験モード１の際においても、図５に示したように、試料保持ボックス１４内に、この試料保持ボックス１４内の温度を検知するための温度センサ１４２が配置されている。また、試料保持ボックス１４内における背面側には、高温試験モードの際の加温用黒板１４３および断熱シート板１４４の代わりに、蓄熱板１４７が配置されている。なお、この蓄熱板１４７は、本発明における「蓄熱部材」の一具体例に対応している。
【００５６】
この結露試験モード１では、制御部１８によって、試験槽１０内（試料保持ボックス１４の外部）の湿度が上昇するように制御され、高湿度状態が設定される。また、図５に示したように、前述した液体噴射機構１５によって、試料保持ボックス１４における背面側に液体Ｗが噴射されることで、試料保持ボックス１４内の温度（温度Ｔin）が、試験槽１０内（試料保持ボックス１４の外部）の温度Ｔoutよりも下降する（Ｔin＜Ｔout）。すなわち、制御部１８は、このような温度条件を満たすことになるよう、液体噴射機構１５における液体Ｗの噴射動作を制御する。なお、このときの試験槽内１０の温度Ｔoutは、例えば３０℃程度であり、試験槽１０内の湿度（高湿度状態の湿度）は、相対湿度＝９０％ＲＨ程度であり、液体Ｗの温度（例えば水温）は、例えば１０℃程度である。上記の場合、露点温度は約２８℃となるため、試料表面の温度を２８℃以下にすることで、結露が発生することになる。
【００５７】
このようにして制御部１８は、結露試験モード１の際には、試験槽１０内の湿度を上昇させる（高湿度状態に設定する）と共に、液体噴射機構１５による液体Ｗの噴射を利用して、試料保持ボックス１４内の温度を下降させる（低温状態に設定する）。その結果、図５中の符号Ｐ２ｆで示したように、試料９における表面Ｓｆ上にのみ、結露が発生することになる。
【００５８】
なお、このような結露試験モード１の際に、制御部１８はまた、試料９の表面Ｓｆ上にのみ発生する結露の状態を、結露センサ１４６を用いて制御するようになっている。具体的には、制御部１８は、例えば、結露センサ１４６の測定値に基づいて試験槽１０内の湿度や温度、液体Ｗの温度を制御することで、結露の状態を制御する。
【００５９】
（結露試験モード２：裏面結露）
続いて、図６は、結露試験モード２（裏面結露）の際の試料保持ボックス１４での動作例を、模式断面図にて表したものである。
【００６０】
この結露試験モード２の際にも、図６に示したように、試料保持ボックス１４として、白色筺体１４０Ｗを有するもの（白色ボックス１４Ｗ）が用いられている。また、上記した結露試験モード１の場合と同様に、試料９の表面Ｓｆが外部（試験槽１０内の光源１１側）に露出した状態で、試料９が保持されている。具体的には、図６に示したように、試料９における上端領域および下端領域がそれぞれ、保持部材１４１ａ，１４１ｂによって保持（固定）されている。また、このような試料９における表面Ｓｆ上および裏面Ｓｂ上にはそれぞれ、結露試験モード１の場合と同様に、結露センサ１４６が配置されている。
【００６１】
この結露試験モード２の際においても、図６に示したように、試料保持ボックス１４内に、この試料保持ボックス１４内の温度を検知するための温度センサ１４２が配置されている。また、試料保持ボックス１４内における背面側には、上記した結露試験モード１の場合と同様に、蓄熱板１４７が配置されている。
【００６２】
この結露試験モード２では、制御部１８は、試験槽１０内の温度Ｔoutが試料保持ボックス１４内の温度Ｔinよりも下降する（Ｔin＞Ｔout）ように制御する（低温状態に設定する）。すなわち、制御部１８は、このような温度条件を満たすこととなるように、動作制御を行う。具体的には、この結露試験モード２の際には、試料保持ボックス１４内に、液体Ｗ’（水など）を予め封入し、密閉しておく（図６参照）と共に、制御部１８によって、試験槽１０内（試料保持ボックス１４の外部）の温度Ｔoutを、上昇させた後に下降させる（高温状態→低温状態の順に設定する）。すると、試料保持ボックス１４に内蔵された蓄熱板１４７における蓄熱作用によって、試料保持ボックス１４内の温度Ｔinが、試験槽１０内の温度Ｔoutよりも高くなる（Ｔin＞Ｔout）。この際、試料保持ボックス１４内の液体Ｗ’は、蓄熱された温度付近の飽和蒸気となる。
【００６３】
このようにして制御部１８は、結露試験モード２の際には、蓄熱板１４７を利用して、試験槽１０内の温度Ｔoutが試料保持ボックス１４内の温度Ｔinよりも下降する（Ｔin＞Ｔout）ように制御する（低温状態に設定する）。その結果、試料保持ボックス１４内の飽和蒸気は、温度が下降した試料９における裏面Ｓｂ上に接触し、図６中の符号Ｐ２ｂで示したように、試料９における裏面Ｓｂ上にのみ、結露が発生することになる。
【００６４】
なお、このような結露試験モード２の際にも、制御部１８はまた、試料９の裏面Ｓｂ上にのみ発生する結露の状態を、結露センサ１４６を用いて制御するようになっている。具体的には、制御部１８は、例えば、結露センサ１４６の測定値に基づいて試験槽１０内の温度Ｔoutを制御することで、試料保持ボックス１４内の温度Ｔinとの温度差を生じさせ、結露の状態を制御する。
【００６５】
（Ｃ．作用・効果）
このようにして本実施の形態の耐候性試験機１では、上記した高温試験モードおよび結露試験モード（結露試験モード１または結露試験モード２）が個別に実行されるように、耐候性試験の際の動作制御が行われる。これにより本実施の形態では、多様な試験条件下での耐候性試験が実現される。また、特にこの例では、試料９の表面上にのみ結露を発生させる結露試験（結露試験モード１）と、試料９の裏面上にのみ結露を発生させる結露試験（結露試験モード２）との双方がそれぞれ、個別に実現されることから、更に多様な試験条件下での耐候性試験が実現可能となる。
【００６６】
ここで、例えば前述した自動車用ガラスでは、使用環境（自動車の車内・車外の温湿度）によって、その表面や裏面に結露が発生する場面や、車内側と車外側との温度差が大きくなる場面などがあることから、それらの影響を確認する必要がある。本実施の形態の耐候性試験機１では、上記した各種の試験モードが設けられていることで、これらの影響を確認するための多様な環境条件を再現したうえでの耐候性試験が実現可能となる。
【００６７】
また、本実施の形態では、高温試験モードの際には、黒色筺体１４０Ｂを有する試料保持ボックス１４（黒色ボックス１４Ｂ）を用いると共に、この黒色筺体１４０Ｂと、光源１１から放射されて試料９を透過した放射光Ｌoutとを利用して、試料保持ボックス１４内の温度が上昇するようになっている。このように、黒色筺体１４０Ｂおよび放射光Ｌoutを用いて試料保持ボックス１４内の温度が上昇し易くなる（効率良く高温状態に設定できる）ことから、高温試験モードを実行する際の利便性が向上する。
【００６８】
更に、この高温試験モードの際には、試料保持ボックス１４内における試料９の保持面（正面）とは反対側に、加温用黒板１４３および断熱シート板１４４がそれぞれ配置されている。これにより、加温用黒板１４３を用いて、試料保持ボックス１４内の温度が更に上昇し易くなる（更に効率良く高温状態に設定できる）。また、断熱シート板１４４を用いることで、試料保持ボックス１４からの放熱が抑えられ、高温状態が維持し易くなる。これらのことから、本実施の形態では、高温試験モードを実行する際の利便性が、更に向上する。
【００６９】
加えて、この高温試験モードの際に、黒色筺体１４０Ｂに設けられた貫通空気量調節弁１４５ａ，１４５ｂにおける開閉量が調節されることによって、試料保持ボックス１４内の温度が調節されるようになっている。これにより、例えば図２に示したように、試験槽１０内に複数の試料保持ボックス１４が設けられている場合に、各試料保持ボックス１４内の温度を個別に設定できるようになる。その結果、高温試験モードを実行する際の利便性が、更に向上する。
【００７０】
また、本実施の形態では、結露試験モード１および結露試験モード２の際には、蓄熱板１４７を内蔵した白色筺体１４０Ｗを有する試料保持ボックス１４（白色ボックス１４Ｗ）が用いられる。このように、白色筺体１４０Ｗであると共に蓄熱板１４７を内蔵することから、例えば外光（例えば光源１１からの放射光Ｌoutなど）が試料保持ボックス１４に照射された場合であっても、白色筺体１４０Ｗであるため、試料保持ボックス１４内の温度（温度Ｔin）が上昇しにくくなる（低温状態を維持し易くなる）。また、蓄熱板１４７を内蔵しているため、試験槽１０内の温度が変化した場合でも、試料保持ボックス１４内の温度が低温状態または高温状態を維持し易くなる。更に、試料保持ボックス１４に冷却装置および加熱装置等を設置しなくても済むため、試料保持ボックス１４の構造が簡易なものとなり、低コスト化が図られる。ちなみに、例えば図１および図２に示したように、試料保持ボックス１４が試験槽１０内で回転するような場合、前述した液体噴射機構１５から液体Ｗが断続的に噴射されることになるが、試料保持ボックス１４内に蓄熱板１４７が設けられていることから、そのような場合であっても、試料保持ボックス１４内の温度変動が抑えられる（低温状態を維持し易くなる）。
【００７１】
更に、これらの結露試験モード１および結露試験モード２の際に制御部１８は、試料９における一方の面（表面Ｓｆまたは裏面Ｓｂ）上にのみ発生する結露の状態を、結露センサ１４６を用いて制御するようになっている。具体的には、制御部１８は、例えば、試験槽１０内の湿度や温度、液体Ｗの温度を制御することで、結露の状態を制御する。これにより、試料９上に発生する結露の状態が精度良く調整できるため、結露試験モードの際の再現性が向上する。
【００７２】
以上のように本実施の形態では、高温試験モードおよび結露試験モードの双方の試験モードが個別に実行されるように耐候性試験の際の動作制御を行うようにしたので、多様な試験条件下での耐候性試験を実現することができる。よって、耐候性試験を行う際の利便性を向上させることが可能となる。
【００７３】
＜２．変形例＞
以上、実施の形態を挙げて本発明を説明したが、本発明はこの実施の形態に限定されず、種々の変形が可能である。
【００７４】
例えば、上記実施の形態では、耐候性試験機における各機器の構成（形状、配置、個数、材料等）を具体的に挙げて説明したが、これらの構成については、上記実施の形態で説明したものには限られず、他の形状や配置、個数等であってもよい。具体的には、例えば上記実施の形態では、主に、ガラス材料を用いた試料の場合を例に挙げて説明したが、この例には限られず、ガラス材料以外の材料を用いた試料について、本発明を適用するようにしてもよい。また、試料９の用途についても、実施の形態で挙げた車両（自動車など）用には限られず、他の用途のものであってもよい。
【００７５】
また、上記実施の形態では、前述したランプ光源を用いて本発明における「光源」を構成する場合の例について説明したが、これには限られず、例えばＬＥＤ（Light Emitting Diode）等の他の光源を用いて、本発明における「光源」を構成するようにしてもよい。更に、円環状の試料取付枠としては、例えば、光源を中心とした回転動作を行うのもの（回転式のもの）ではなく、固定式のもの（光源を中心として固定配置されたもの）であってもよい。
【００７６】
更に、上記実施の形態では、試料保持ボックスにおける構成（形状、配置、個数、材料等）を具体的に挙げて説明したが、これらの構成については、上記実施の形態で説明したものには限られず、他の形状や配置、個数等であってもよい。具体的には、例えば、上記実施の形態では、試料保持ボックスが試験槽内に複数配置されている場合を例に挙げて説明したが、この例には限られず、例えば、試験槽内に試料保持ボックスが１つだけ配置されているようにしてもよい。
【００７７】
加えて、上記実施の形態では、制御部による各種の制御動作や耐候性試験方法等について説明したが、上記実施の形態で説明した手法には限られず、他の手法を用いて各種の制御動作や耐候性試験等を行うようにしてもよい。具体的には、例えば、上記実施の形態では、耐候性試験の際の試験モードの一例として、高温試験モードおよび結露試験モードを例に挙げて説明したが、この例には限られない。すなわち、例えば、これらの高温試験モードおよび結露試験モードに加えて、試料表面降雨試験や低温凍結試験等の他の試験モードを併用して耐候性試験を行うようにしてもよい。
【００７８】
また、上記実施の形態で説明した一連の制御は、ハードウェア（回路）で行われるようにしてもよいし、ソフトウェア（プログラム）で行われるようにしてもよい。ソフトウェアで行われるようにした場合、そのソフトウェアは、上記した各機能をコンピュータ（マイクロコンピュータ等）により実行させるためのプログラム群で構成される。各プログラムは、例えば、上記コンピュータに予め組み込まれて用いられてもよいし、ネットワークや記録媒体から上記コンピュータにインストールして用いられてもよい。
【符号の説明】
【００７９】
１…耐候性試験機、１０…試験槽、１１…光源、１２ａ，１２ｂ…試料取付枠、１２０…回転軸、１３…試料ホルダ、１４…試料保持ボックス、１４Ｂ…黒色ボックス、１４Ｗ…白色ボックス、１４０Ｂ…黒色筺体、１４０Ｗ…白色筺体、１４１ａ，１４１ｂ…保持部材、１４２…温度センサ、１４３…加温用黒板、１４４…断熱シート板、１４５ａ，１４５ｂ…貫通空気量調節弁、１４６…結露センサ、１４７…蓄熱板、１５…液体噴射機構、１６…受光器、１７…ブラックパネル温度計、１８…制御部、９…試料、Ｌout…放射光、Ｒ１，Ｒ２…回転方向、Ｗ，Ｗ’…液体、Ｓｆ…表面、Ｓｂ…裏面、Ａin，Ａout…貫通空気、Ｔin，Ｔout…温度。
【図１】
2018128338.tif 000003
【図２】
2018128338.tif 000004
【図３】
2018128338.tif 000005
【図４】
2018128338.tif 000006
【図５】
2018128338.tif 000007
【図６】
2018128338.tif 000008